(57)【特許請求の範囲】
【請求項１】
監視対象の機器が撮影された画像を受信し、該画像に含まれている機器を検出し、該検出した機器の消費電力を表す画像を生成して、該生成した画像を端末装置に送信する電力表示装置であって、
監視対象の機器を検出するための情報を予め記憶する記憶部と、
前記受信した画像と前記記憶部に記憶されている情報とに基づいて、前記撮影された画像に含まれている機器を検出する検出部と、
前記監視対象の機器のうち、前記検出部により検出された機器と一致する機器の消費電力の計測値を管理機器から取得する取得部と、
前記取得部により取得された消費電力を表す画像を生成し、該生成した画像と前記撮影された画像とを重畳し、各機器の消費電力を表示装置に表示する表示部と、
前記表示部が生成した画像を、前記端末装置に送信する通信部と、を備える、
ことを特徴とする電力表示装置。
【請求項２】
画像を撮影する撮影部と、
監視対象の機器を検出するための情報を記憶する記憶部と、
前記撮影部により撮影された画像と前記記憶部に記憶されている情報とに基づいて、前記撮影部により撮影された画像に含まれている機器を検出する検出部と、
前記監視対象の機器のうち、前記検出部により検出された機器と一致する機器の消費電力の計測値を管理機器から取得する取得部と、
前記取得部により取得された消費電力を表す画像を生成し、該生成した画像と前記撮影された画像とを重畳し、各機器の消費電力を表示装置に表示する表示部と、を備える、
ことを特徴とする電力表示装置。
【請求項３】
画像を撮影する撮影部と、
監視対象の機器を検出するための情報を記憶する記憶部と、
前記撮影部により撮影された画像と前記記憶部に記憶されている情報とに基づいて、前記撮影部により撮影された画像に含まれている機器を検出する検出部と、
前記監視対象の機器のうち、前記検出部により検出された機器と一致する機器の消費電力の提供を要求する情報を管理機器に送信し、さらに、前記管理機器から送信されて来た消費電力を受信する通信部と、
前記受信した消費電力を表す画像を生成し、該生成した画像と前記撮影された画像とを重畳して表示する表示部と、を備える、
ことを特徴とする電力表示装置。
【請求項４】
前記取得部は、前記検出された機器の設定情報を取得し、
前記表示部は、前記取得された設定情報を、前記撮影された画像に重畳して表示する、
ことを特徴とする請求項１又は２に記載の電力表示装置。
【請求項５】
前記記憶部は、機器に加えて所定の対象物を検出するための情報と、当該対象物に対応付けられた、ユーザに省エネを促すための対応情報を記憶し、
前記検出部は、前記撮影された画像と前記記憶部に記憶されている対象物を検出するための情報とに基づいて、前記撮影された画像中の前記所定の対象物を検出し、
前記表示部は、前記検出された対象物に対応付けられた、ユーザに省エネを促すための対応情報を、前記撮影された画像に重畳して表示する、
ことを特徴とする請求項１乃至４のいずれか１項に記載の電力表示装置。
【請求項６】
記憶部と、検出部と、取得部と、表示部と、通信部と、を有し、監視対象の機器が撮影された画像を受信し、該画像に含まれている機器を検出し、該検出した機器の消費電力を表す画像を生成して、該生成した画像を端末装置に送信する電力表示装置における電力表示方法であって、
前記記憶部は、監視対象の機器を検出するための情報を予め記憶し、
前記検出部は、前記受信した画像と前記記憶されている情報とに基づいて、前記撮影された画像に含まれている機器を検出し、
前記取得部は、前記監視対象の機器のうち、前記検出された機器と一致する機器の消費電力の計測値を管理機器から取得し、
前記表示部は、前記取得された消費電力を表す画像を生成し、該生成した画像と前記撮影された画像とを重畳し、各機器の消費電力を表示装置に表示し、
前記通信部は、前記生成表示した画像を、前記端末装置に送信する、
ことを特徴とする電力表示方法。
【請求項７】
撮影部と、記憶部と、検出部と、取得部と、表示部と、を有する電力表示装置における電力表示方法であって、
前記撮影部は、画像を撮影し、
前記記憶部は、監視対象の機器を検出するための情報を記憶し、
前記検出部は、前記撮影された画像と前記記憶されている情報とに基づいて、前記撮影された画像に含まれている機器を検出し、
前記取得部は、前記監視対象の機器のうち、前記検出された機器と一致する機器の消費電力の計測値を管理機器から取得し、
前記表示部は、前記取得された消費電力を表す画像を生成し、該生成した画像と前記撮影された画像とを重畳し、各機器の消費電力を表示装置に表示する、
ことを特徴とする電力表示方法。
【請求項８】
撮影部と、記憶部と、検出部と、通信部と、表示部と、を有する電力表示装置における電力表示方法であって、
前記撮影部は、画像を撮影し、
前記記憶部は、監視対象の機器を検出するための情報を記憶し、
前記検出部は、前記撮影された画像と前記記憶されている情報とに基づいて、前記撮影された画像に含まれている機器を検出し、
前記通信部は、前記監視対象の機器のうち、前記検出された機器と一致する機器の消費電力の提供を要求する情報を管理機器に送信し、さらに、前記管理機器から送信されて来た消費電力を受信し、
前記表示部は、前記受信した消費電力を表す画像を生成し、該生成した画像と前記撮影された画像とを重畳して表示する、
ことを特徴とする電力表示方法。
【請求項９】
監視対象の機器が撮影された画像を受信し、該画像に含まれている機器を検出し、該検出した機器の消費電力を表す画像を生成して、該生成した画像を端末装置に送信するコンピュータを、
監視対象の機器を検出するための情報を予め記憶する記憶部、
前記受信した画像と前記記憶部に記憶されている情報とに基づいて、前記撮影された画像に含まれている機器を検出する検出部、
前記監視対象の機器のうち、前記検出部により検出された機器と一致する機器の消費電力の計測値を管理機器から取得する取得部、
前記取得部により取得された消費電力を表す画像を生成し、該生成した画像と前記撮影された画像とを重畳し、各機器の消費電力を表示装置に表示する表示部、
前記表示部が生成した画像を、前記端末装置に送信する通信部、として機能させる、
ことを特徴とするプログラム。
【請求項１０】
コンピュータを、
画像を撮影する撮影部、
監視対象の機器を検出するための情報を記憶する記憶部、
前記撮影部により撮影された画像と前記記憶部に記憶されている情報とに基づいて、前記撮影部により撮影された画像に含まれている機器を検出する検出部、
前記監視対象の機器のうち、前記検出部により検出された機器と一致する機器の消費電力の計測値を管理機器から取得する取得部、
前記取得部により取得された消費電力を表す画像を生成し、該生成した画像と前記撮影された画像とを重畳し、各機器の消費電力を表示装置に表示する表示部、として機能させる、
ことを特徴とするプログラム。
【請求項１１】
コンピュータを、
画像を撮影する撮影部、
監視対象の機器を検出するための情報を記憶する記憶部、
前記撮影部により撮影された画像と前記記憶部に記憶されている情報とに基づいて、前記撮影部により撮影された画像に含まれている機器を検出する検出部、
前記監視対象の機器のうち、前記検出部により検出された機器と一致する機器の消費電力の提供を要求する情報を管理機器に送信し、さらに、前記管理機器から送信されて来た消費電力を受信する通信部、
前記受信した消費電力を表す画像を生成し、該生成した画像と前記撮影された画像とを重畳して表示する表示部、として機能させる、
ことを特徴とするプログラム。
【発明の詳細な説明】
【技術分野】
【０００１】
本発明は、電力表示装置、電力表示方法、及び、プログラムに関する。
【背景技術】
【０００２】
家庭内に設置された空調機器、照明機器などの機器が消費する電力を監視するシステムが知られている。例えば、特許文献１には、電力を検出する主幹電力メータを設置し、当該主幹電力メータに併設された表示部に、すべての機器が消費した全体の電力や消費した電力に相当する料金を表示する技術が開示されている。
【先行技術文献】
【特許文献】
【０００３】
【特許文献１】特開平９−５３９５４号公報
【発明の概要】
【発明が解決しようとする課題】
【０００４】
しかしながら、特許文献１に開示される構成では、機器が消費した電力を合計した合計の電力が表示されるだけであり、機器と、当該機器が消費した電力と、対応付けられていないため、ユーザは各機器が消費した個別の電力を把握することができない。このため、各機器が消費した電力を容易に把握するための新たな方法が求められている。
【０００５】
本発明は、上記事情に鑑みてなされたものであり、各機器が消費した電力を容易に把握できる電力表示装置、電力表示方法、及び、プログラムを提供することを目的とする。
【課題を解決するための手段】
【０００６】
上記目的を達成するため、本発明の第１の観点に係る電力表示装置は、
監視対象の機器が撮影された画像を受信し、該画像に含まれている機器を検出し、該検出した機器の消費電力を表す画像を生成して、該生成した画像を端末装置に送信する電力表示装置であって、
監視対象の機器を検出するための情報を予め記憶する記憶部と、
前記受信した画像と前記記憶部に記憶されている情報とに基づいて、前記撮影された画像に含まれている機器を検出する検出部と、
前記監視対象の機器のうち、前記検出部により検出された機器と一致する機器の消費電力の計測値を管理機器から取得する取得部と、
前記取得部により取得された消費電力を表す画像を生成し、該生成した画像と前記撮影された画像とを重畳し、各機器の消費電力を表示装置に表示する表示部と、
前記表示部が生成した画像を、前記端末装置に送信する通信部と、を備える、
ことを特徴とする。
【０００７】
本発明の第２の観点に係る電力表示装置は、
画像を撮影する撮影部と、
監視対象の機器を検出するための情報を記憶する記憶部と、
前記撮影部により撮影された画像と前記記憶部に記憶されている情報とに基づいて、前記撮影部により撮影された画像に含まれている機器を検出する検出部と、
前記監視対象の機器のうち、前記検出部により検出された機器と一致する機器の消費電力の計測値を管理機器から取得する取得部と、
前記取得部により取得された消費電力を表す画像を生成し、該生成した画像と前記撮影された画像とを重畳し、各機器の消費電力を表示装置に表示する表示部と、を備える、
ことを特徴とする。
【０００８】
本発明の第３の観点に係る電力表示装置は、
画像を撮影する撮影部と、
監視対象の機器を検出するための情報を記憶する記憶部と、
前記撮影部により撮影された画像と前記記憶部に記憶されている情報とに基づいて、前記撮影部により撮影された画像に含まれている機器を検出する検出部と、
前記監視対象の機器のうち、前記検出部により検出された機器と一致する機器の消費電力の提供を要求する情報を管理機器に送信し、さらに、前記管理機器から送信されて来た消費電力を受信する通信部と、
前記受信した消費電力を表す画像を生成し、該生成した画像と前記撮影された画像とを重畳して表示する表示部と、を備える、
ことを特徴とする。
【発明の効果】
【０００９】
本発明によれば、ユーザは各機器が消費した電力を容易に把握できる。
【図面の簡単な説明】
【００１０】
【図１】実施形態に係る電力表示装置を備える電力管理システムを示す図である。
【図２】機器の設置例を示す図である。
【図３】管理機器の構成を示す図である。
【図４】電力表示装置の構成を示す図である。
【図５】表示処理を説明するためのフローチャートである。
【図６】撮影した画像の例を示す図である。
【図７】対象物と対象物に対応する情報の例を示す図である。
【図８】画像に重畳表示される情報の例を示す図である。
【発明を実施するための形態】
【００１１】
以下に本発明の実施形態を説明する。以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００１２】
本発明の実施形態に係る電力表示装置を備える電力管理システムは、建物内に設置された各機器が消費した電力を集計することにより、一括的に電力を管理するいわゆるＨＥＭＳ（Home Energy Management System）である。本発明の実施形態に係る電力表示装置４００を備える電力表示システム１は、図１に示すように、電力管理システム１は、複数の機器１００、複数の計測機器２００、管理機器３００、電力表示装置４００から構成される。
【００１３】
各機器１００は、電力を消費する任意の機器であり、例えば、テレビ、冷蔵庫、洗濯機、空調機器、照明機器、換気機器などの家電機器から構成される。機器１００は、建物内の所定の部屋２に設置され、電力線３から電力の供給を受けて、動作することにより電力を消費する。電力管理システム１では、複数の機器１００と管理機器３００とが、電力線３を介して繋がれている。
【００１４】
計測機器２００は、電力線３を流れる電流、電力、又は、電力量を計測する機器であり、例えば、電力計、ディジタルマルチメータから構成される。計測機器２００は、典型的には、部屋２毎に設置され、当該部屋２に設置された監視対象である機器１００が消費した消費電力（消費電力量）を計測する。図２の場合、計測機器２００ａ〜２００ｃは、部屋Ａ〜Ｃにそれぞれ設置され、計測機器２００ａは、部屋Ａに設置された機器１００ａ及び機器１００ｂが消費した消費電力を計測し、計測機器２００ｂは、部屋Ｂに設置された機器１００ｃが消費した消費電力を計測し、計測機器２００ｃは、部屋Ｃに設置された機器１００ｄ〜機器１００ｇが消費した消費電力を計測する。
【００１５】
管理機器３００は、計測機器２００により計測された電力を取得することにより、建物内の電力を管理する機器であり、例えば、スマートメータ、情報端末装置、パーソナルコンピュータなどから構成される。管理機器３００は、図３に示すように、システム制御部３１０、システム記憶部３２０、システム入力部３３０、システム表示部３４０、システム通信部３５０から構成される。
【００１６】
システム制御部３１０は、例えば、ＣＰＵ（Central Processing Unit）などの演算処理回路やワークエリアとなるＲＡＭ（Random Access Memory）、各種ドライバなどから構成され、管理機器３００の各部を制御するとともに、システム記憶部３２０に格納されている所定の動作プログラムに基づいて後述する各処理を実行する。管理機器３００の各構成は、それぞれシステム制御部３１０と接続されており、各構成間でのデータ授受などは制御部３１０を介しておこなわれる。
【００１７】
システム制御部３１０は、計測機器２００により計測された、電流、電力、又は、電力量を取得し、当該電流を示す情報等をシステム記憶部３２０に記憶させる。また、システム制御部３１０は、各機器１００との通信により、機器１００の現在の設定を示す設定情報を取得し、当該設定情報をシステム記憶部３２０に記憶させる。そして、システム制御部３１０は、電力表示装置４００からの要求に基づいて、システム記憶部３２０に記憶された情報を、システム通信部３５０を介して、電力表示装置４００に送信する。
【００１８】
システム記憶部３２０は、例えば、ＲＯＭ（Read Only Memory）やフラッシュメモリなどといった所定の記憶装置から構成され、システム制御部３１０が実行する動作プログラム（アプリケーション）の他、各処理の実行に必要なデータや各処理の実行によって取得又は生成されたデータなどを格納する。管理機器３００による処理は、システム記憶部３２０に記憶された動作プログラムをシステム制御部３１０が実行することで実現される。
【００１９】
システム記憶部３２０は、計測機器２００により計測された電流、電力、又は、電力量等を記憶し、また、図２に示すような、機器１００と、当該機器１００が設置された部屋２と、当該機器１００が消費した消費電力を計測した計測機器２００と、の対応関係を記憶する。
【００２０】
システム入力部３３０は、ユーザからの指示を受け付けるための各種のキー、ボタン若しくはタッチパネル等を備え、システム制御部３１０への各種の指示やデータを入力する。
【００２１】
システム表示部３４０は、例えば、ドットマトリクスタイプのＬＣＤ若しくは有機ＥＬパネルとドライバ回路等を備え、任意の画像を表示する。
【００２２】
システム通信部３５０は、通信を行うためのインターフェース等を備え、所定のプロトコルに沿って、無線を介して、管理機器３００と電力表示装置４００との間で行われる通信の仲立ちをする。
【００２３】
図１に戻って、電力表示装置４００は、機器１００が消費した消費電力量を表示する機器であり、例えば、情報端末装置、携帯端末装置などから構成される。電力表示装置４００は、図３に示すように、制御部４１０、記憶部４２０、入力部４３０、表示部４４０、通信部４５０から構成される。
【００２４】
制御部４１０は、例えば、ＣＰＵ（Central Processing Unit）などの演算処理回路やワークエリアとなるＲＡＭ（Random Access Memory）、各種ドライバなどから構成され、電力表示装置４００の各部を制御するとともに、記憶部４２０に格納されている所定の動作プログラムに基づいて後述する各処理を実行する。電力表示装置４００の各構成は、それぞれ制御部４１０と接続されており、各構成間でのデータ授受などは制御部４１０を介しておこなわれる。
【００２５】
制御部４１０は、同図に示すように、撮影部４１１、検出部４１２、取得部４１３から構成される。
【００２６】
撮影部４１１は、撮影レンズなどの光学系と、例えばＣＣＤ（Charge Coupled Device）やＣＭＯＳ（Complementary Metal Oxide Semiconductor）などの撮像素子（イメージセンサ）と、それらの駆動回路、信号処理回路とを備え、任意の画像を撮影する。
【００２７】
検出部４１２は、例えば、ＣＰＵやＲＡＭ（Random Access Memory）等から構成され、撮影部４１１が撮影した画像内に、所定の対象物が存在するか否かを検出する。ここで、対象物とは、典型的には、機器１００、及び、当該機器１００が消費する消費電力に影響を及ぼす物（例えば、カーテン、ブラインド、窓、ドア等）をいい、あらかじめ設定された物、ユーザが設定した物等、任意の物をいう。
例えば、検出部４１２は、あらかじめ記憶された対象物を示す画像、又は、ユーザにより入力された対象物を示す画像と、撮影された画像と、からそれぞれ特徴点（パターン）を抽出する。そして、検出部４１２は、抽出した特徴点が記憶された対象物の特徴点と一致する場合、撮影された画像内に所定の対象物があるとして、当該対象物を検出（特定）する。
【００２８】
取得部４１３は、検出部４１２が検出した対象物の状態を示す情報、当該対象物に対応付けられた情報を取得する。ここで、対象物の状態とは、対象物がどこに、どのような状態で設置されているかを示す設置状態、対象物に蓋がある場合や開閉動作を伴う場合には対象物の開閉状態、電源のオン・オフやユーザによって使用されているかを示す使用状態等、任意の状態をいう。また、対象物に対応付けられた情報とは、ユーザが対象物を使用・操作することによって変化する情報、対象物の使用・操作方法を説明するための情報、ユーザに省エネを促すための情報等、任意の情報をいう。
まず、取得部４１３は、公知の手法、又は、特許４４００６１０号公報に記載される手法に基づいて、システム記憶部３２０に記憶された（又は、計測機器２００が計測した）電流及び電圧波形から、高調波成分（例えば、周波数１ｋＨｚ〜２０ｋＨｚの電流成分）を取り出して、当該高調波成分から、特徴量（例えば、周波数、位相、レベル）を抽出することにより、機器１００を同定する。各機器１００を同定することにより、機器１００と、当該機器１００が消費した消費電力と、が対応付けられる。次に、取得部４１３は、検出部４１２が検出した対象物が、電力管理システム１が備える機器１００であるか否かを判別する。取得部４１３は、検出部４１２が検出した対象物と、あらかじめ記憶された、電力管理システム１が備える機器１００、又は、検出すべき対象物と、を比較することにより判別を行う。対象物が、電力管理システム１が備える機器１００である場合、取得部４１３は、当該機器１００の状態を示す情報（例えば、消費電力、消費電力量、設定情報）、及び、当該機器１００に対応付けられた情報を、通信部４５０を介して、管理機器３００（システム記憶部３２０）から取得する。
【００２９】
記憶部４２０は、例えば、ＲＯＭ（Read Only Memory）やフラッシュメモリなどといった所定の記憶装置から構成され、制御部４１０が実行する動作プログラム（アプリケーション）の他、各処理の実行に必要なデータや各処理の実行によって取得又は生成されたデータなどを格納する。電力表示装置４００による処理は、記憶部４２０に記憶された動作プログラムを制御部４１０が実行することで実現される。
【００３０】
また、記憶部４２０は、対象物（機器１００、機器１００以外の物）を示す画像、当該対象物の特徴点（パターン）、当該対象物の状態（設定）、当該対象物に対応付けられた情報、ユーザが入力部４３０を介して入力した情報を記憶する。
【００３１】
入力部４３０は、ユーザからの指示を受け付けるための各種のキー、ボタン若しくはタッチパネル等を備え、制御部４１０への各種の指示やデータを入力する。ユーザが入力部４３０を介して任意の情報を入力すると、当該情報は記憶部４２０に記憶される。
【００３２】
表示部４４０は、例えば、ドットマトリクスタイプのＬＣＤ若しくは有機ＥＬパネルとドライバ回路等を備え、任意の画像を表示する。
【００３３】
通信部４５０は、通信を行うためのインターフェース等を備え、所定のプロトコルに沿って、無線を介して、管理機器３００と電力表示装置４００との間で行われる通信の仲立ちをする。
【００３４】
次に、電力表示装置４００の動作について説明する。図５は、機器１００が消費した消費電力を表示する表示処理を説明するためのフローチャートである。以下、図面を参照して説明する。
【００３５】
なお、本表示処理を、管理機器３００が行うこともでき、また、管理機器３００及び電力表示装置４００が協働して行うこともできる。以下では、説明を容易にするために、すべての処理を電力表示装置４００が行うものとして説明する。
【００３６】
電力表示装置４００は、ユーザに対して撮影を行うように促して、当該ユーザからの撮影操作を受け付けると、図５に示す当該表示処理を開始する。
まず、制御部４１０は、撮影部４１１を制御することにより、ユーザからの撮影操作に基づいて、画像を撮影する（ステップＳ１０１）。ユーザの操作に基づいて撮影が行われると、制御部４１０は、図６に示すような、室内に設置（配置）された空調機器、カーテン、テーブルが写っている画像を撮影する。
【００３７】
次に、制御部４１０は、検出部４１２を制御することにより、撮影部４１１により撮影された画像内に所定の対象物があるか（写っているか）否かを検出する（ステップＳ１０２）。制御部４１０は、画像内の対象物が、記憶部４２０にあらかじめ登録された対象物、又は、ユーザが登録を行った対象物であるか否かを判別することにより、対象物の検出を行う。具体的には、制御部４１０は、撮影された画像から複数の特徴点を抽出し、当該複数の特徴点が、登録された対象物の特徴点と一致するかにより判別を行う。制御部４１０は、図６で示される画像内にある空調機器、カーテン、及び、テーブルの特徴点を抽出し、当該特徴点と、図７に示される登録された対象物の特徴点と、を比較することにより、画像内の対象物を検出する。この場合、空調機器及びカーテンは登録された対象物であり、テーブルは登録されていない対象物である。このため、制御部４１０は、登録された対象物として、空調機器及びカーテンを検出する。
【００３８】
なお、対象物を検出する方法は、パターンマッチング手法、特徴点抽出手法等、公知の手法を用いることができ、例えば、特開２０１０−３３１１０号公報、特開２００７−５８８１１号公報、特開２０００−２０７５５６号公報に記載される内容を含み、当該内容が参酌される。
【００３９】
画像内に対象物がない場合（ステップＳ１０３；Ｎｏ）、表示すべき情報がないものとして、本処理は終了する。
【００４０】
一方、画像内に対象物がある場合（ステップＳ１０３；Ｙｅｓ）、制御部４１０は、検出した対象物が機器１００であるか否かを判別する（ステップＳ１０４）。制御部４１０は、図７を参照することにより、検出した対象物が、電力管理システム１が備える機器１００であるか否かを判別する。ステップＳ１０２において、制御部４１０は、対象物として空調機器及びカーテンを検出している。このため、空調機器及びカーテンについて、機器１００であるか否かを判別する。この場合、制御部４１０は、空調機器は機器１００に該当すると判別し、カーテンは機器１００に該当しないと判別する。
【００４１】
対象物が機器１００である場合（ステップＳ１０４；Ｙｅｓ）、制御部４１０は、取得部４８０を制御することにより、検出した機器１００が消費した消費電力（消費電力量）、機器１００の設定情報、当該設定情報に対応付けられた情報を取得する（ステップＳ１０５）。制御部４１０は、検出した機器１００に該当する、計測機器２００が計測した当該機器１００の消費電力、及び、当該機器１００の設定情報を、通信部４５０を介して、管理機器３００から取得する。そして、制御部４１０は、取得した機器１００の設定情報が、図７に示される対象物の状態（設定）を満たすか否かを判別し、満たすと判別した場合に、対象物に対応付けられた情報を取得する。制御部４１０は、ステップＳ１０４において機器１００に該当すると判別した、空調機器が消費した消費電力、及び、設定情報を取得する。そして、当該設定情報が、例えば、運転モード：冷房、設定温度：２３℃の場合、制御部４１０は、「設定温度が低いです。設定温度を上げて、省エネしましょう。」という対象物に対応付けられた情報を取得する。
【００４２】
対象物が機器１００でない場合（ステップＳ１０４；Ｎｏ）、制御部４１０は、対象物に対応付けられた情報を取得する（ステップＳ１０６）。制御部４１０は、ステップＳ１０４において機器１００に該当しないと判別した、カーテンの状態を判別し、当該状態に対応付けられる情報を取得する。図６において、カーテンは開いている状態であるため、制御部４１０は、当該状態に対応付けられた、「カーテンが開いています。カーテンを閉めると、省エネになります。」という情報を取得する。ここで、対象物に対応付けられた情報とは、典型的には、対象物の状態を変化させることにより、省エネ効果を上げる（促進する）ための情報である。対象物がカーテンの場合には、カーテンの開閉による状態変化によって、どの程度の省エネ効果があるかを示すアドバイスが、ユーザに対して提示（表示）される。
【００４３】
次に、制御部４１０は、画像内に他の対象物があるか否かを判別する（ステップＳ１０７）。そして、他の対象物がある場合（ステップＳ１０７；Ｙｅｓ）、処理は再びステップＳ１０４へと戻る。このようなステップＳ２０２〜Ｓ２１０の処理が繰り返されることにより、画像内にあるすべての対象物が検出され、当該対象物に対応付けられた情報が取得される。図６では、空調機器及びカーテンの２つの対象物がある。このため、制御部４１０は、まずステップＳ１０５において空調機器の情報を取得し、次に、もう１つの対象物であるカーテンの情報を取得する。
【００４４】
一方、他の対象物がない場合（ステップＳ１０７；Ｎｏ）、すなわち、すべての対象物の情報を取得した場合、表示部４４０は、ステップＳ１０１において撮影された画像に、ステップＳ１０５及びＳ１０６において取得された情報を、重畳して表示する。図８では、対象物である空調機器及びカーテンについての情報を表示している。表示部４４０は、空調機器の消費電力（３０００Ｗ）、空調機器の現在の設定（運転モード：冷房、設定温度：２３℃）、及び、「設定温度が低いです。設定温度を上げて、省エネしましょう。」という情報を、重畳表示し、また、カーテンの現在の状態に対応付けられた「カーテンが開いています。カーテンを閉めると、省エネになります。」という情報を重畳表示する。
【００４５】
以上の処理により、ユーザは、画像を撮影することによって、当該画像内にある機器が消費した電力を容易に把握することができる。また、ユーザは、機器（対象物）の現在の設定（状態）に基づく、情報を得ることができる。
【００４６】
なお、本発明は上記の実施形態に限定されず、種々の変形及び応用が可能である。
【００４７】
電力管理システム１が備える、機器１００、計測機器２００、及び、電力表示装置４００の台数は任意である。
【００４８】
計測機器２００の設置位置は任意である。例えば、機器１００に電力を供給する電源と機器１００との間に設置される、電力線３を分岐する分電盤（図示せず）の配線分岐部に、計測機器２００を併設することもできる。また、分電盤と機器１００との間に設置されるブレーカーとともに、計測機器２００を設置することもできる。計測機器２００を設置する位置を、管理機器３００に近い位置することにより、計測機器２００の設置を容易することができる。また、当該計測機器２００に接続する通信線の設置も容易にすることができる。
【００４９】
また、計測機器２００は、有効電力、及び、無効電力を計測することもできる。
【００５０】
上記の実施形態では、電力表示装置４００が表示処理を行う場合に説明した。しかし、管理機器３００が当該表示処理を行ってもよく、また、管理機器３００と電力表示装置４００とが協働して当該表示処理を行ってもよい。例えば、管理機器３００は、表示処理におけるステップＳ１０２〜Ｓ１０７を行うこともできる。まず、管理機器３００は、システム通信部３５０を介して、ステップＳ１０１において電力表示装置４００が撮影した画像を取得する。次に、管理機器３００は、上述したステップＳ１０２〜Ｓ１０７と同様の処理を行う。次に、管理機器３００は、ステップＳ１０１において取得した画像と、ステップＳ１０５及びＳ１０６において取得した情報と、を重畳した画像を生成する。そして、管理機器３００は、生成した重畳画像を、システム通信部３５０を介して、電力端末装置４００に送信することにより、電力端末装置４００において、重畳画像を表示することもできる。
【００５１】
電力表示装置４００が表示する情報は任意である。例えば、電力表示装置４００は、電力量を電気料金に換算した情報、電力量を二酸化炭素の排出量に換算した情報等を表示することもできる。
【００５２】
図７に示される、対象物と、当該対象物に対応付けられた情報（対応情報）は、任意である。例えば、対象物が冷蔵庫の場合、対応情報として、庫内の詰め込みすぎを警告する情報、扉の開け閉め回数の削減を促す情報が上げられる。また、対象物がＩＨクッキングヒータの場合、対応情報として、フィルタ汚れの点検を促す情報、フィルタの掃除を促す情報が上げられる。また、対象物が給湯器の場合、対応情報として、湯温度の設定変更を促す情報、湯量に確認を促す情報が上げられる。また、対象物がドアの場合、対応情報として、ドアの開閉回数の低減を促す情報が上げられる。また、対象情報が室内の吹き抜け部分の場合、対象情報として、吹き抜け部分の閉鎖を促す情報、サーキュレータにより空気の循環を促す情報が上げられる。
【００５３】
ステップＳ１０４において、制御部４１０は、対象物で電力線３に接続されているか否かに基づいて、対象物が機器１００であるかを判別することもできる。典型的には電力を消費する機器１００は電力線３に接続されているため、制御部４１０は、画像内の対象物が電力線３に接続されているか否かを判別し、対象物が電力線３に接続されている場合、対象物が機器１００であると判別することもできる。
【００５４】
取得部４１３が、機器１００の消費電力を取得する方法は任意である。例えば、記憶部４２０が、機器と当該機器が消費した消費電力とを対応付けた情報を記憶し、取得部４１３は、当該記憶された情報に基づいて、機器１００の消費電力を取得することもできる。
【００５５】
その他、前記のハードウエェア構成やフローチャートは一例であり、任意に変更および修正が可能である。
【００５６】
システム制御部３１０、システム記憶部３２０、システム入力部３３０、システム表示部３４０、システム通信部３５０等から構成される管理機器３００、及び、制御部４１０、記憶部４２０、入力部４３０、表示部４４０、通信部４５０等から構成される電力表示装置４００の処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する管理機器３００及び電力表示装置４００を構成してもよい。また、インターネット等の通信ネットワーク上のサーバ装置が有する記憶装置に当該コンピュータプログラムを格納しておき、通常のコンピュータシステムがダウンロード等することで管理機器３００及び電力表示装置４００を構成してもよい。
【００５７】
また、管理機器３００及び電力表示装置４００の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００５８】
また、搬送波にコンピュータプログラムを重畳し、通信ネットワークを介して配信することも可能である。たとえば、通信ネットワーク上の掲示板（BBS; Bulletin Board System）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【符号の説明】
【００５９】
１  電力管理システム
２  部屋
３  電力線
１００  機器
２００  計測機器
３００  管理機器
３１０  システム制御部
３２０  システム記憶部
３３０  システム入力部
３４０  システム表示部
３５０  システム通信部
４００  電力表示装置
４１０  制御部
４１１  撮影部
４１２  検出部
４１３  取得部
４２０  記憶部
４３０  入力部
４４０  表示部
４５０  通信部
【図１】
0005240736.tif 000002
【図２】
0005240736.tif 000003
【図３】
0005240736.tif 000004
【図４】
0005240736.tif 000005
【図５】
0005240736.tif 000006
【図６】
0005240736.tif 000007
【図７】
0005240736.tif 000008
【図８】
0005240736.tif 000009